(57)【要約】【課題】外周コート層のクラックの発生及び／又は接合層の接合強度の低下が抑制されうるハニカム構造体を提供すること。【解決手段】複数個のハニカムセグメント１１のそれぞれの外壁１０どうしが接合層１２で接合されたセル構造体３の外周部が切削加工された切削加工体と、切削加工体の外周面８上に配設される外周コート層９と、を備え、接合層１２及び外周コート層９の少なくともいずれかが、金属イオンを遊離可能な金属酸化物を含む生体溶解性ファイバー、シリカゾルを有するコロイド状酸化物を含む無機バインダー、及び金属イオンに多座配位可能なキレート化合物、又は第一の緩衝液若しくは酸を含む添加剤を含有するハニカム製造用スラリーを使用して形成される層であるハニカム構造体１。【選択図】図１
2010012416.tif 000002
【特許請求の範囲】
【請求項１】
複数個のハニカムセグメントのそれぞれの外壁どうしが接合層で接合されたセル構造体の外周部が切削加工された切削加工体と、
前記切削加工体の外周面上に配設される外周コート層と、を備え、
前記接合層及び前記外周コート層の少なくともいずれかが、
金属イオンを遊離可能な金属酸化物を含む生体溶解性ファイバー、
シリカゾルを有するコロイド状酸化物を含む無機バインダー、及び
前記金属イオンに多座配位可能なキレート化合物、又は第一の緩衝液若しくは酸を含む添加剤を含有するハニカム製造用スラリーを使用して形成された層であるハニカム構造体。
【請求項２】
多孔質の隔壁によって区画形成された複数のセルを有するセル構造体の外周部が切削加工されて形成された切削加工体と、
前記切削加工体の外周面上に配設される外周コート層と、を備え、
前記外周コート層が、
金属イオンを遊離可能な金属酸化物を含む生体溶解性ファイバー、
シリカゾルを有するコロイド状酸化物を含む無機バインダー、及び
前記金属イオンに多座配位可能なキレート化合物、又は第一の緩衝液若しくは酸を含む添加剤を含有するハニカム製造用スラリーを使用して形成された層であるハニカム構造体。
【請求項３】
前記キレート化合物が緩衝作用を有する化合物である請求項１又は２に記載のハニカム構造体。
【請求項４】
前記ハニカム製造用スラリーが、前記キレート化合物を含有するものである場合に、
前記ハニカム製造用スラリーに、第二の緩衝液が更に含有される請求項１又は２に記載のハニカム構造体。
【請求項５】
前記第一の緩衝液が、アミノ酢酸と塩酸を含む緩衝液、クエン酸緩衝液、及び酢酸緩衝液からなる群より選択される少なくとも一種の緩衝液である請求項１又は２に記載のハニカム構造体。
【請求項６】
前記ハニカム製造用スラリーが、前記酸を含有するものである場合に、
前記ハニカム製造用スラリーの２５℃におけるｐＨの値が１．０〜３．０である請求項１又は２に記載のハニカム構造体。
【発明の詳細な説明】
【技術分野】
【０００１】
本発明はハニカム構造体に関し、更に詳しくは、外周コート層のクラックの発生が抑制されうる及び／又は接合層の接合強度の低下が抑制されうるハニカム構造体、並びに外周コート層のクラックの発生が抑制されうるハニカム構造体に関する。
【背景技術】
【０００２】
自動車の排ガスや廃棄物の焼却時に発生する焼却排ガス等に含まれる、塵やその他の粒子状物質を捕集するため、セラミックスのハニカム構造体からなるハニカムフィルタが使用されている。特に、内燃機関から排出されるスート等の粒子状物質（以下、「ＰＭ」ともいう）を効率的に除去するために、ディーゼルパティキュレートフィルタ（以下、「ＤＰＦ」ともいう）が使用されている。
【０００３】
このＤＰＦは、捕捉したＰＭを除去しなければ最終的に目詰りしてしまうため、捕捉したＰＭを除去して再生させる必要がある。ＤＰＦの再生は、一般的にはＤＰＦ自体を加熱してＰＭを燃焼させることにより可能である。ＤＰＦの再生方法としては、例えば、ＤＰＦに酸化型の触媒を担持させ、ディーゼル機関から発生する高温の排ガスにより効率的にＰＭを燃焼させる方法がある。しかし、ＤＰＦを加熱して再生させる場合、排ガスの急激な温度変化や局所的な発熱によってハニカム構造体内の温度分布が不均一となり、ＤＰＦにクラックが生じる等の問題があった。この問題を解決するものとして、複数個のハニカムセグメントのそれぞれの外壁どうしが接合材で接合された接合体からなるハニカム構造体が開示されている（例えば、特許文献１参照）。
【０００４】
また、このような構造的特徴を有するハニカム構造体は、通常、隔壁が薄く、高気孔率であるが故に、機械的強度が低いという問題がある。そこで、特に大型のハニカム構造体においては、機械的強度を向上させることが行われている。例えば、複数個のハニカムセグメントのそれぞれの外壁どうしが接合材で接合された接合体の外周部を切削加工し、その外周面上に外周コート材からなる外周コート層を設けたハニカム構造体が開示されている（例えば、特許文献２参照）。
【０００５】
このような接合材や外周コート材は、通常、コージェライト粉末や炭化珪素粒子等の無機粒子、及びシリカゾルやアルミナゾル等の無機バインダーを含有する。必要に応じてセラミックスファイバーを更に含有する場合もある。特に、近年、人体への影響を考慮した生体溶解性ファイバーを含有する接合材や外周コート材を用いたハニカム構造体が開示されている（例えば、特許文献３参照）。
【０００６】
【特許文献１】米国特許第４３３５７８３号公報
【特許文献２】特公昭５１−４４７１３号公報
【特許文献３】特開２００３−１０５６６２号公報
【発明の開示】
【発明が解決しようとする課題】
【０００７】
しかしながら、生体溶解性ファイバーを含有する接合材や外周コート材は、生体溶解性ファイバーから遊離した金属イオンやそれに伴うｐＨの上昇により、流動性等の性質が経時変化する場合がある。このように性質の変化した接合材や外周コート材を使用してハニカム構造体を製造すると、接合部分の接合強度が低下したり、外周コート層にクラックが発生したりする場合がある。
【０００８】
本発明は、このような従来技術の有する問題点に鑑みてなされたものであり、その課題とするところは、生体溶解性ファイバーを含有するスラリーを用いて形成した外周コート層のクラックの発生が抑制されうる、及び／又は、生体溶解性ファイバーを含有するスラリーを用いて形成した接合層の接合強度の低下が抑制されうるハニカム構造体（以下、「第一のハニカム構造体」ともいう）を提供することにある。
【０００９】
また、その課題とするところは、生体溶解性ファイバーを含有するスラリーを用いて形成した外周コート層のクラックの発生が抑制されうるハニカム構造体（以下、「第二のハニカム構造体」ともいう）を提供することにある。
【課題を解決するための手段】
【００１０】
本発明者らは上記課題を達成すべく鋭意検討した結果、所定の構成成分を含有するハニカム製造用スラリーを使用することによって、上記課題を達成することが可能であることを見出し、本発明を完成するに至った。
【００１１】
即ち、本発明によれば、以下に示すハニカム構造体が提供される。
【００１２】
［１］複数個のハニカムセグメントのそれぞれの外壁どうしが接合層で接合されたセル構造体の外周部が切削加工された切削加工体と、前記切削加工体の外周面上に配設される外周コート層と、を備え、前記接合層及び前記外周コート層の少なくともいずれかが、金属イオンを遊離可能な金属酸化物を含む生体溶解性ファイバー、シリカゾルを有するコロイド状酸化物を含む無機バインダー、及び前記金属イオンに多座配位可能なキレート化合物、又は第一の緩衝液若しくは酸を含む添加剤を含有するハニカム製造用スラリーを使用して形成された層であるハニカム構造体。
【００１３】
［２］多孔質の隔壁によって区画形成された複数のセルを有するセル構造体の外周部が切削加工されて形成された切削加工体と、前記切削加工体の外周面上に配設される外周コート層と、を備え、前記外周コート層が、金属イオンを遊離可能な金属酸化物を含む生体溶解性ファイバー、シリカゾルを有するコロイド状酸化物を含む無機バインダー、及び前記金属イオンに多座配位可能なキレート化合物、又は第一の緩衝液若しくは酸を含む添加剤を含有するハニカム製造用スラリーを使用して形成された層であるハニカム構造体。
【００１４】
［３］前記キレート化合物が緩衝作用を有する化合物である前記［１］又は［２］に記載のハニカム構造体。
【００１５】
［４］前記ハニカム製造用スラリーが、前記キレート化合物を含有するものである場合に、前記ハニカム製造用スラリーに、第二の緩衝液が更に含有される前記［１］又は［２］に記載のハニカム構造体。
【００１６】
［５］前記第一の緩衝液が、アミノ酢酸と塩酸を含む緩衝液、クエン酸緩衝液、及び酢酸緩衝液からなる群より選択される少なくとも一種の緩衝液である前記［１］又は［２］に記載のハニカム構造体。
【００１７】
［６］前記ハニカム製造用スラリーが、前記酸を含有するものである場合に、前記ハニカム製造用スラリーの２５℃におけるｐＨの値が１．０〜３．０である前記［１］又は［２］に記載のハニカム構造体。
【発明の効果】
【００１８】
本発明の第一のハニカム構造体は、生体溶解性ファイバーを含有するスラリーを用いて形成した外周コート層のクラックの発生が抑制されうる、及び／又は、生体溶解性ファイバーを含有するスラリーを用いて形成した接合層の接合強度の低下が抑制されうるという効果を奏するものである。
【００１９】
また、本発明の第二のハニカム構造体は、生体溶解性ファイバーを含有するスラリーを用いて形成した外周コート層のクラックの発生が抑制されうるという効果を奏するものである。
【発明を実施するための最良の形態】
【００２０】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２１】
本発明の第一のハニカム構造体は、複数個のハニカムセグメントのそれぞれの外壁どうしが接合層で接合されたセル構造体の外周部が切削加工された切削加工体と、切削加工体の外周面上に配設される外周コート層と、を備えるものである。接合層及び外周コート層の少なくともいずれかは、金属イオンを遊離可能な金属酸化物を含む生体溶解性ファイバー、シリカゾルを有するコロイド状酸化物を含む無機バインダー、及び金属イオンに多座配位可能なキレート化合物、又は第一の緩衝液若しくは酸を含む添加剤を含有するハニカム製造用スラリーを使用して形成された層である。
【００２２】
また、本発明の第二のハニカム構造体は、多孔質の隔壁によって区画形成された複数のセルを有するセル構造体の外周部が切削加工されて形成された切削加工体と、切削加工体の外周面上に配設される外周コート層と、を備えるものである。外周コート層は、金属イオンを遊離可能な金属酸化物を含む生体溶解性ファイバー、シリカゾルを有するコロイド状酸化物を含む無機バインダー、及び金属イオンに多座配位可能なキレート化合物、又は第一の緩衝液若しくは酸を含む添加剤を含有するハニカム製造用スラリーを使用して形成された層である。
【００２３】
ここで、本発明のハニカム構造体について図面を用いて説明する。図１は、本発明の第一のハニカム構造体の一実施形態を示す斜視図であり、図２は、ハニカムセグメントの一実施形態を示す斜視図である。図１において、ハニカム構造体１は、セル構造体３の外周部が切削加工されて形成された切削加工体と、切削加工体の外周面８上に配設された外周コート層９と、を備えている。セル構造体３は、外壁１０を有する複数個のハニカムセグメント１１を備え、隣接するハニカムセグメント１１の外壁１０どうしが接合層１２で接合された接合体で形成されている。なお、図１において、ハニカム構造体１は、円柱状の形状であるが、本発明の第一のハニカム構造体の形状は円柱状に限定されるものではなく、必要に応じて適宣選択することができる。
【００２４】
図２において、ハニカムセグメント１１は、多孔質の隔壁５によって区画形成された複数のセル４を有し、その外周に外壁１０を有している。セル４には、ハニカムセグメント１１の一方の端面６と他方の端面７で相補的な市松模様を呈するように目封止が形成される。なお、図２において、ハニカムセグメント１１は、角柱状の形状であるが、ハニカムセグメントの形状は角柱状に限定されるものではなく、必要に応じて適宣選択することができる。
【００２５】
図３は、本発明の第二のハニカム構造体の一実施形態を示す斜視図である。図３において、ハニカム構造体２は、セル構造体１３の外周部が切削加工されて形成された切削加工体と、切削加工体の外周面１８上に配設された外周コート層９と、を備えている。セル構造体１３は、多孔質の隔壁１５によって区画形成された複数のセル１４を有し、セル１４は一方の端面６と他方の端面７で相補的な市松模様を呈するように目封止されている。なお、図３において、ハニカム構造体２は、円柱状の形状であるが、本発明の第二のハニカム構造体の形状は円柱状に限定されるものではなく、必要に応じて適宣選択することができる。
【００２６】
Ｉ  第一のハニカム構造体
１  第一のハニカム構造体の構成成分
第一のハニカム構造体は、ハニカムセグメントのそれぞれの外壁どうしが接合層で接合されたセル構造体の外周部が切削加工された切削加工体と、外周コート層と、を備えるものである。
【００２７】
１．１  切削加工体
切削加工体は、セル構造体３の外周部が切削加工されたものである。切削加工による外周部の形状は特に限定されるものではなく、第一のハニカム構造体の形状に合わせて任意の形状にすることができる。なお、切削加工する外周部は、最外周セルから２セル分以上であることが好ましく、２〜４セル分であることが更に好ましい。このようにセル構造体３を切削加工することで、外周部に存在する変形したセルを除くことができる。
【００２８】
（セル構造体）
セル構造体３は、ハニカムセグメント１１のそれぞれの外壁１０どうしが接合層１２で接合されて形成されている。このようにセル構造体３を形成することで、ＤＰＦを加熱して再生させる場合、排ガスの急激な温度変化や局所的な発熱によってハニカム構造体内の温度分布が不均一となり、ＤＰＦにクラックが生じることを抑止することができる。なお、接合されるハニカムセグメント１１の個数は特に限定されるものではないが、通常２〜１００個程度である。
【００２９】
セル構造体３のセル密度は５０〜４００ｃｐｓｉ（７．７〜６２．０ｃｅｌｌｓ／ｃｍ２）であることが好ましく、７０〜３７０ｃｐｓｉ（１０．８〜５７．３ｃｅｌｌｓ／ｃｍ２）であることが更に好ましく、８０〜３２０ｃｐｓｉ（１２．４〜４９．６ｃｅｌｌｓ／ｃｍ２）であることが特に好ましい。セル密度が５０ｃｐｓｉ（７．７ｃｅｌｌｓ／ｃｍ２）未満であると、強度が低い場合がある。一方、４００ｃｐｓｉ（６２．０ｃｅｌｌｓ／ｃｍ２）超であると、圧力損失が高すぎてエンジン出力が低下する場合がある。
【００３０】
（１）  ハニカムセグメント
ハニカムセグメント１１は、多孔質の隔壁５によって区画形成された複数のセル４を有し、その外周には外壁１０を有している。多孔質の隔壁５によって区画形成された複数のセル４は、ハニカムセグメント１１の二つの端面間を連通しており、流体の流路となる。
【００３１】
（ｉ）  多孔質の隔壁
多孔質の隔壁５を構成する材質は、平均細孔径が５〜４０μｍであり、気孔率が３０〜８５％である材質が好ましい。より具体的には、強度及び耐熱性の観点から、炭化珪素（ＳｉＣ）、炭化珪素（ＳｉＣ）を骨材とし、かつ珪素（Ｓｉ）を結合材とする珪素−炭化珪素系複合材料、窒化珪素、コージェライト、ムライト、アルミナ、スピネル、炭化珪素−コージェライト系複合材、リチウムアルミニウムシリケート、チタン酸アルミニウム、及びＦｅ−Ｃｒ−Ａｌ系金属からなる群より選択される少なくとも１種の材質が好ましい。これらの中でも、炭化珪素又は珪素−炭化珪素系複合材料が更に好ましい。珪素−炭化珪素系複合材料を材質とした多孔質の隔壁５を用いてハニカム構造体を製造すると、通常、珪素−炭化珪素の表面に二酸化珪素の膜が形成される。二酸化珪素の融点は珪素の融点より高いため、ハニカム構造体の温度が上昇し珪素の融点を超えた場合であっても、二酸化珪素の表面保護膜により、隔壁５の溶損を防止することができる。なお、平均細孔径は、「ＪＡＳＯ  自動車規格  自動車排気ガス浄化触媒セラミックモノリス担体の試験方法  Ｍ５０５−８７の６．３に記載の全細孔容積、メジアン細孔径」の方法で測定された値であり、気孔率は、細孔容積より算出した値である。
【００３２】
多孔質の隔壁５の厚さは６〜７０ｍｉｌ（０．０１５〜０．１７７ｃｍ）であることが好ましく、８〜３０ｍｉｌ（０．０２０〜０．０７６ｃｍ）であることが更に好ましく、１０〜２０ｍｉｌ（０．０２５〜０．０５０ｃｍ）であることが特に好ましい。隔壁５の厚さが６ｍｉｌ（０．０１５ｃｍ）未満であると、強度が低い場合がある。一方、７０ｍｉｌ（０．１７７ｃｍ）超であると、圧力損失が高すぎてエンジン出力が低下する場合がある。
【００３３】
多孔質の隔壁５には、触媒を担持させることが好ましい。多孔質の隔壁５に触媒を担持させることにより、ＤＰＦを加熱して再生させる場合に、ＰＭを効率的に除去することができる。
【００３４】
触媒としては、排ガスの熱によりＰＭを燃焼することができるものであれば特に限定されるものではない。例えば、貴金属元素、周期表ＶＩａ族の元素、及び周期表ＶＩＩＩ族の元素の中から選ばれる元素を含む単体又は化合物を用いることができる。より具体的には、白金（Ｐｔ）、パラジウム（Ｐｄ）、ロジウム（Ｒｈ）、ニッケル（Ｎｉ）、コバルト（Ｃｏ）、モリブデン（Ｍｏ）、タングステン（Ｗ）、セリウム（Ｃｅ）、銅（Ｃｕ）、バナジウム（Ｖ）、鉄（Ｆｅ）、金（Ａｕ）、銀（Ａｇ）等の元素を含む単体又は化合物を挙げることができる。また、ＮＯｘ選択還元型触媒成分やＮＯｘ吸蔵型触媒成分を用いても良い。
【００３５】
隔壁５に担持させる触媒の濃度は、５〜２５０ｇ／Ｌであることが好ましく、１０〜１００ｇ／Ｌであることが更に好ましく、１５〜５０ｇ／Ｌであることが特に好ましい。触媒の濃度が５ｇ／Ｌ未満であると、ＰＭを十分に燃焼除去することができない場合がある。一方、触媒の濃度が２５０ｇ／Ｌ超であると、圧力損失が高くなりすぎてしまう場合や、コスト高となる場合がある。なお、触媒の濃度は、例えば、ハニカムフィルタからある体積のブロックを切り出し、触媒を担持する前後の質量差を、切り出した体積で割ることにより算出することができる。
【００３６】
（ｉｉ）  セル
ハニカムセグメント１１のセル４は、多孔質の隔壁５によって区画形成されるものであり、一方の端面６と他方の端面７において相補的な市松模様を呈するように目封止が形成される。セル４にこのように目封止を形成することで、流体がＤＰＦを流れるときに、連通する端面間をそのまま通過することは無く、多孔質の隔壁５を少なくとも一度は通過しなくてはならない。多孔質の隔壁５を通過する際に、流体に含まれるＰＭが除去される。
【００３７】
（２）  接合層
接合層１２は、従来公知の接合材スラリーを使用して形成された層であっても良いが、ハニカム製造用スラリーを使用して形成された層であることが好ましい。これは、接合層１２の接合強度の低下を抑制することができるからである。なお、ハニカム製造用スラリーは、従来公知の接合材スラリーを含んでも良い。
【００３８】
（ハニカム製造用スラリー）
ハニカム製造用スラリーは、金属イオンを遊離可能な金属酸化物を含む生体溶解性ファイバー、シリカゾルを有するコロイド状酸化物を含む無機バインダー、及び前記金属イオンに多座配位可能なキレート化合物を含む添加剤を含有するスラリー（以下、「第一のハニカム製造用スラリー」という）、又は第一の緩衝液若しくは酸を含む添加剤を含有するスラリー（以下、「第二のハニカム製造用スラリー」という）である。
【００３９】
（第一のハニカム製造用スラリー）
第一のハニカム製造用スラリーは、金属イオンを遊離可能な金属酸化物を含む生体溶解性ファイバー、シリカゾルを有するコロイド状酸化物を含む無機バインダー、及び金属イオンに多座配位可能なキレート化合物を含有するスラリーである。なお、必要に応じて、無機粒子成分や有機バインダー等を含有させても良い。
【００４０】
また、第一のハニカム製造用スラリーは、第二の緩衝液を更に含有することが好ましい。これは、生体溶解性ファイバーに含まれる金属酸化物から遊離する金属イオンの効果により、ｐＨの値が上昇し、それに伴う流動性等の経時変化を抑制することができるためである。このような第二の緩衝液としては、例えば、アミノ酢酸と塩酸を含む緩衝液、クエン酸緩衝液、酢酸緩衝液等がある。
【００４１】
（ｉ）  生体溶解性ファイバー
一般的に、「生体溶解性ファイバー」とは、約１年以内で生理学的液体に溶解又は実質的に溶解するものをいう。特に、本明細書において、「生体溶解性ファイバー」とは、生理学的液体中において非耐久性であり、発ガン分類の規制対象外となるものをいう。生理学的液体には、例えば、生理食塩水（０．９質量％塩化ナトリウム水溶液）、緩衝溶液、疑似体液、血清がある。疑似体液は、人の血漿成分にほぼ等しくした水溶液である。なお、ここでいう「実質的に溶解する」とは、少なくとも約７５質量％が溶解することを意味する。
【００４２】
「ファイバー」とは、幅（又は直径）より大きな長さを有する材料をいう。具体的な実施の形態においては、ファイバーの長さが直径の少なくとも５倍のもの、少なくとも１０倍のもの、又は少なくとも１００倍のもの等、目的に応じて適宜選択して使用することができる。
【００４３】
生体溶解性ファイバーは、例えば、Ｎａ２Ｏ、Ｋ２Ｏ、ＣａＯ、ＭｇＯ、Ｐ２Ｏ５、Ｌｉ２Ｏ及びＢａＯ、又はこれらとシリカの組み合わせのような金属酸化物を含む。また、その他の金属酸化物又はその他のセラミック成分を生体溶解性ファイバーに含んでも良いが、その他の金属酸化物及びその他のセラミック成分には所望の溶解性はなく、全体として生体溶解性ファイバーが生理学的液体中で実質的に溶解可能となるような十分に少ない量である。このようなその他の金属酸化物としては、例えば、Ａｌ２Ｏ３、ＴｉＯ２、ＺｒＯ２、Ｂ２Ｏ３及びＦｅ２Ｏ３がある。生体溶解性ファイバーはまた、ファイバーが生理学的液体中で実質的に溶解可能となるような十分に少ない量で金属成分を含んでも良い。
【００４４】
生体溶解性ファイバーは、シリカの含有量が６０質量％以上であることが好ましく、６５〜９５質量％であることが更に好ましい。このような組成の生体溶解性ファイバーは、ファイバーを固定化し、十分な強度を発揮したり、更には耐熱性を持たせたりするため好ましい。
【００４５】
また、生体溶解性ファイバーは、アルカリ金属酸化物の含有量が２質量％以下であることが好ましい。ここで、アルカリ金属酸化物としては、例えば、Ｎａ２Ｏ、Ｋ２Ｏがある。アルカリ金属酸化物の含有量が２質量％以下であると、高温、例えば１２００℃以上の高温で使用する際に、接合材又は外周コート材自身の強度の低下を防ぐことができる。
【００４６】
生体溶解性ファイバーとしては、例えば、シリカ及びマグネシア、或いはシリカ、マグネシア及びカルシアを含んでいるものがある。このようなファイバーは、一般的に、マグネシウムシリケートファイバー、或いはカルシウムマグネシウムシリケートファイバーと呼ばれている。
【００４７】
生体溶解性ファイバーは、例えば、新日化サーマルセラミックス株式会社から「スーパーウール」の商品名で販売されている。例えば、「スーパーウール６０７」は、６０〜７０質量％のＳｉＯ２、２５〜３５質量％のＣａＯ、４〜７質量％のＭｇＯ及び微量のＡｌ２Ｏ３を含有している。「スーパーウール６０７マックス」は、６０〜７０質量％のＳｉＯ２、１６〜２２質量％のＣａＯ、１２〜１９質量％のＭｇＯ、及び微量のＡｌ２Ｏ３を含有している。
【００４８】
生体溶解性ファイバーは様々な平均直径及び平均長さを有することができる。例えば、市販のものは、約０．０５〜１５μｍの範囲の平均ファイバー直径を有している。特に、生体溶解性ファイバーとしては、０．１〜１０μｍの範囲の平均ファイバー直径を有しているものを好適に用いることができる。長軸方向の平均長さは１０〜６００μｍであることが好ましく、５０〜４００μｍであることが更に好ましい。長軸方向の平均長さが１０μｍ未満であると、弾力性を付与できない場合がある。一方、６００μｍ超であると、塗布性が低下する場合がある。
【００４９】
第一のハニカム製造用スラリー中、生体溶解性ファイバーの含有割合は、水を除く全構成成分に対し、１〜８０質量％であることが好ましく、１０〜５０質量％であることが更に好ましく、２０〜４０質量％であることが特に好ましい。
【００５０】
（ｉｉ）  無機バインダー
無機バインダーは、シリカゾルを有するコロイド状酸化物を含むものである。なお、コロイド状酸化物としては、シリカゾル以外にも、例えば、アルミナゾル等を有しても良い。
【００５１】
第一のハニカム製造用スラリー中、無機バインダーの含有割合は、水を除く全構成成分に対し、５〜７０質量％であることが好ましく、１０〜５０質量％であることが更に好ましく、２０〜４０質量％であることが特に好ましい。
【００５２】
（ｉｉｉ）  キレート化合物
キレート化合物は、生体溶解性ファイバーに含まれる金属酸化物から遊離される金属イオンに多座配位可能な化合物である。第一のハニカム製造用スラリーがキレート化合物を含有することで、生体溶解性ファイバーに含まれる金属酸化物から遊離する金属イオンを捕集するため、シリカゾルの凝集を抑止することができる。そのため、第一のハニカム製造用スラリーの流動性等の経時変化を抑制することができる。
【００５３】
キレート化合物は、緩衝作用を有する化合物であることが更に好ましい。これは、生体溶解性ファイバーに含まれる金属酸化物から遊離する金属イオンの効果により、ｐＨの値が上昇し、それに伴う流動性等の経時変化を更に抑制することができるためである。なお、本明細書にいう「緩衝作用を有する化合物」とは、酸及び塩基を添加しても解離により平衡を維持するような配位子を持ち合わせた化合物をいい、主にアミノ酸（アミノ基とカルボキシル基を配位子としてもつ）がある。
【００５４】
キレート化合物として、具体的には、ニトリロ三酢酸、エチレンジアミン四酢酸、クエン酸、アミノ酢酸、アラニン、グルタミン酸等を挙げることができる。これらの中でも、緩衝作用を有する化合物であるアミノ酢酸、アラニン、グルタミン酸が好ましい。なお、これらの化合物は、１種単独で使用しても良く、２種以上を混合して使用しても良い。
【００５５】
第一のハニカム製造用スラリー中、キレート化合物の含有割合は、水を除く全構成成分に対し、０．１〜３０質量％であることが好ましく、０．５〜２０質量％であることが更に好ましく、１〜１０質量％であることが特に好ましい。
【００５６】
（ｉｖ）  無機粒子成分
無機粒子成分としては、炭化珪素粒子、窒化珪素粒子、コージェライト、アルミナ、ムライト等のセラミックス等を挙げることができる。無機粒子成分は、炭化珪素粒子を含むことが好ましい。無機粒子成分に含まれる炭化珪素粒子の含有割合は、１〜８０質量％であることが好ましく、１０〜６０質量％であることが更に好ましい。
【００５７】
炭化珪素粒子としては、数平均粒子径が０．５〜５００μｍであることが好ましく、１〜１００μｍであることが更に好ましく、１．５〜５０μｍであることが特に好ましい。数平均粒子径が０．５μｍ未満であると、第一のハニカム製造用スラリーの乾燥時に炭化珪素粒子が動きやすくなり不均一な構造となる場合がある。一方、５００μｍ超であると、弾力性を持たすことが困難になる場合がある。なお、炭化珪素粒子の数平均粒子径は、ＪＩＳ  Ｒ  １６２９に準拠して測定した値である。
【００５８】
コージェライトとしては、タップかさ密度が、１．３０ｇ／ｃｍ３以上のコージェライト粉末が好ましい。コージェライト粉末のタップかさ密度が１．３０ｇ／ｃｍ３未満であると、クラックが発生したり、剥離したりする等の不具合が生じ易くなる場合がある。クラックが発生したり、剥離したりする等の不具合の発生をより効果的に抑制するといった観点からは、コージェライト粉末のタップかさ密度は１．３４ｇ／ｃｍ３以上であることが好ましく、１．３９ｇ／ｃｍ３以上であることが更に好ましい。
【００５９】
第一のハニカム製造用スラリーに無機粒子成分が含有される場合、その含有割合は、水を除く全構成成分に対し、１〜８０質量％であることが好ましく、１０〜６０質量％であることが更に好ましく、２０〜５０質量％であることが特に好ましい。
【００６０】
（ｖ）  有機バインダー
有機バインダーとしては、例えば、ポリビニルアルコール（ＰＶＡ）、カルボキシメチルセルロース（ＣＭＣ）、メチルセルロース（ＭＣ）等があり、第一のハニカム製造用スラリーの粘度の安定化や、乾燥工程における強度を付与する効果がある。
【００６１】
第一のハニカム製造用スラリーに有機バインダーが含有される場合、その含有割合は、水を除く全構成成分に対し、０．０１〜５質量％であることが好ましく、０．０５〜３質量％であることが更に好ましく、０．１〜２質量％であることが特に好ましい。
【００６２】
（第二のハニカム製造用スラリー）
第二のハニカム製造用スラリーは、金属イオンを遊離可能な金属酸化物を含む生体溶解性ファイバー、シリカゾルを有するコロイド状酸化物を含む無機バインダー、及び第一の緩衝液又は酸を含む添加剤を含有するスラリーである。なお、必要に応じて、無機粒子成分や有機バインダー等を含有させても良い。
【００６３】
（ｉ）  生体溶解性ファイバー
第二のハニカム製造用材料に含有される生体溶解性ファイバーとしては、前記「生体溶解性ファイバー」にて記載した内容と同様のことがいえる。
【００６４】
第二のハニカム製造用スラリー中、生体溶解性ファイバーの含有割合は、水を除く全構成成分に対し、１〜８０質量％であることが好ましく、１０〜５０質量％であることが更に好ましく、２０〜４０質量％であることが特に好ましい。
【００６５】
（ｉｉ）  無機バインダー
第二のハニカム製造用スラリーに含有される無機バインダーは、シリカゾルを有するコロイド状酸化物を含むものである。なお、コロイド状酸化物としては、シリカゾル以外にも、例えば、アルミナゾル等を有しても良い。
【００６６】
第二のハニカム製造用スラリー中、無機バインダーの含有割合は、水を除く全構成成分に対し、５〜７０質量％であることが好ましく、１０〜５０質量％であることが更に好ましく、２０〜４０質量％であることが特に好ましい。
【００６７】
（ｉｉｉ）  添加剤
第二のハニカム製造用スラリーに含有される添加剤は、第一の緩衝液又は酸である。第一の緩衝液としては、例えば、アミノ酢酸と塩酸を含む緩衝液、クエン酸緩衝液、酢酸緩衝液等が好ましい。添加剤が第一の緩衝液である場合、第二のハニカム製造用スラリーに含有される無機バインダーは、金属イオンに耐性のあるシリカゾル（カチオンタイプのシリカゾル）を使用することが好ましい。カチオンタイプのシリカゾルを使用することで、生体溶解性ファイバーに含まれる金属酸化物から遊離する金属イオンの効果を効果的に抑制することができる。なお、ここでいう「カチオンタイプのシリカゾル」とは、ｐＨ２〜５で安定な酸性シリカゾルをいい、例えば、商品名「ファインカタロイドＣ−１２７」（触媒化成工業社製）がある。
【００６８】
酸としては、例えば、塩酸、硝酸、硫酸等の強酸が好ましい。このように、添加剤として強酸を用いると、シリカ粒子の反発力を生み出して安定化させることができる。即ち、生体溶解性ファイバーに含まれる金属酸化物から遊離する金属イオンの効果と、第二のハニカム製造用スラリーのｐＨの値の上昇に伴う流動性等が経時変化することと、を抑制することができる。
【００６９】
第二のハニカム製造用スラリーが、酸を含有するものである場合に、酸の使用量は、第二のハニカム製造用スラリーの２５℃におけるｐＨの値が１．０〜３．０となる量であることが好ましく、１．０〜２．５となる量であることが更に好ましく、１．０〜２．０となる量であることが特に好ましい。
【００７０】
（ｉｖ）  無機粒子成分
第二のハニカム製造用スラリーに含有されても良い無機粒子成分として、具体的には、前記「無機粒子成分」にて記載した内容と同様のことがいえる。
【００７１】
第二のハニカム製造用スラリーに無機粒子成分が含有される場合、その含有割合は、水を除く全構成成分に対し、１〜８０質量％であることが好ましく、１０〜６０質量％であることが更に好ましく、２０〜５０質量％であることが特に好ましい。
【００７２】
（ｖ）  有機バインダー
第二のハニカム製造用スラリーに含有されても良い有機バインダーとして、具体的には、前記「有機バインダー」にて記載した内容と同様のことがいえる。
【００７３】
第二のハニカム製造用スラリーに有機バインダーが含有される場合、その含有割合は、水を除く全構成成分に対し、０．０１〜５質量％であることが好ましく、０．０５〜３質量％であることが更に好ましく、０．１〜２質量％であることが特に好ましい。
【００７４】
１．２  外周コート層
外周コート層９は、切削加工体の外周面上に配設される層である。外周コート層９は、従来公知の外周コート材スラリーを使用して形成される層であっても良いが、ハニカム製造用スラリーを使用して形成される層であることが好ましい。これは、外周コート層９のクラックの発生が抑制されうるからである。なお、ハニカム製造用スラリーは、従来公知の外周コート材スラリーを含んでも良い。
【００７５】
ハニカム製造用スラリーは、前記「ハニカム製造用スラリー」にて記載した内容と同様のことがいえる。
【００７６】
２  第一のハニカム構造体の製造方法
第一のハニカム構造体は、複数個のハニカムセグメントのそれぞれの外壁どうしを接合層で接合してセル構造体を得、セル構造体の外周部を切削加工して切削加工体を形成し、切削加工体の外周面上に外周コート層を配設することで製造することができる。
【００７７】
２．１  セル構造体の作製方法
セル構造体は、複数個のハニカムセグメントのそれぞれの外壁どうしを接合層で接合して作製することができる。接合層の形成方法としては、例えば、特開２０００−２７９７２９号公報に記載されている方法がある。より具体的には、図４に示すような直角をなす２つの平面（第一平面２１及び第二平面２２）を有する設置基準治具２０を用い、この設置基準治具２０上にて、複数個のハニカムセグメント１１の外壁にペースト状のハニカム製造用スラリーを塗布し、第一平面２１と平行な方向及び第二平面２２と平行な方向に並べて所定位置に設置し、加圧した後、乾燥させて形成することができる。なお、第一平面２１と第二平面２２には、必要に応じてハニカムセグメント１１に接触するパッド２３を設けても良い。
【００７８】
（１）  ハニカムセグメントの作製方法
ハニカムセグメントは、従来公知の方法を用いて作製することができる。より具体的には、多孔質の隔壁を構成するための材質に、メチルセルロース、ヒドロキシプロポキシルセルロース、ヒドロキシエチルセルロース、カルボキシメチルセルロース、ポリビニルアルコール等のバインダー、造孔材、界面活性剤、溶媒としての水等を添加して、混練することで可塑性の坏土を調製し、調製した坏土を柱状体に成形し、乾燥する。その後、セルに目封止を形成し、焼成する方法で作製することができる。
【００７９】
混練方法、調製した坏土を柱状体に成形する方法、及び乾燥方法は特に制限はされるものではない。混練方法としては、例えば、ニーダー、真空土練機等を用いる方法がある。また、調製した坏土を柱状体に成形する方法としては、例えば、押出成形、射出成形、プレス成形等の従来公知の成形法を用いることができる。これらの中でも、調製した坏土を、所望の外壁厚さ、隔壁厚さ、セル密度にするハニカム構造体成形用口金を用いて押出成形する方法が好ましい。更に、乾燥方法としては、例えば、熱風乾燥、マイクロ波乾燥、誘電乾燥、減圧乾燥、真空乾燥、凍結乾燥等の従来公知の乾燥方法を用いることができる。これらの中でも、全体を迅速かつ均一に乾燥することができる点で、熱風乾燥と、マイクロ波乾燥又は誘電乾燥とを組み合わせた乾燥方法を用いることが好ましい。乾燥条件は、多孔質の隔壁を構成する材質等により適宜選択することができる。
【００８０】
セルに目封止を形成する方法としては、従来公知の方法を用いることができる。より具体的には、端面にシートを貼り付けた後、このシートの目封止を形成するセルに対応した位置に穴を開ける。このシートを貼り付けたままの状態で、該端面を目封止用スラリーに浸し、シートに開けた穴を通じて、目封止を形成するセルの開口端部内に目封止用スラリーを充填し、それを乾燥及び焼成する方法を用いることができる。なお、目封止用スラリーは、目封止の材質をスラリー化したものである。目封止の材質は、目封止と多孔質である隔壁との熱膨張差を小さくするために、多孔質の隔壁を構成する材質と同一のものを用いることが好ましい。
【００８１】
焼成方法としては、例えば、焼成炉において焼成する方法がある。焼成炉及び焼成条件は、ハニカム構造体の形状、材質等に合わせて適宜選択することができる。焼成の前に仮焼成を行うことによりバインダー等の有機物を燃焼除去しても良い。なお、焼成は、セルに目封止用スラリーを充填する前に行っても良く、セルに目封止用スラリーを充填した後に行っても良いが、セルに目封止用スラリーを充填した後に行うことが好ましい。これは、熱処理工程を１回分減らすことで、発生する二酸化炭素及び熱処理工程等のコストを削減することができるからである。
【００８２】
（２）  ハニカム製造用スラリーの調製方法
ハニカム製造用スラリーは、例えば、所定の構成成分に、必要に応じて分散剤、水等を加え、ミキサー等の混練機を使用して混合・混練してスラリー状（ペースト状）にして調製することができる。
【００８３】
２．２  切削加工体の作製方法
切削加工体は、作製したセル構造体の外周部を切削加工することで作製することができる。切削加工する方法は、特に限定されるものではなく、従来公知の方法を用いて行うことができる。例えば、特許第２６０４８７６号公報に記載の方法で行うことができる。より具体的には、砥石の周速を７５０〜２１００ｍ／ｍｉｎ、好ましくは１３００〜１５００ｍ／ｍｉｎの範囲で行い、加工速度を０．７〜０．９ｍｍ／秒の速度で行うことが好ましい。砥石の周速が７５０ｍ／ｍｉｎ未満であると、切削加工に要する時間が長くなり、製品のコストを不必要に高くする場合がある。一方、砥石の周速が２１００ｍ／ｍｉｎ超であると、欠けたりして所望の寸法精度が得られない場合がある。また、加工速度が０．７ｍｍ／秒未満であると、加工時間が長くなる場合がある。一方、０．９ｍｍ／秒超であると、チッピングを起こす場合があり、砥石の寿命が短くなる場合がある。
【００８４】
２．３  第一のハニカム構造体の製造方法
切削加工体の外周面上に、外周コート層を配設することで第一のハニカム構造体を製造することができる。外周コート層を配設する方法は特に限定されるものではなく、従来公知の方法を用いることができる。例えば、外周面上をハニカム製造用スラリーで被覆した後、焼成することで形成することができる。
【００８５】
ＩＩ  第二のハニカム構造体
第二のハニカム構造体は、多孔質の隔壁によって区画形成された複数のセルを有するセル構造体の外周部が切削加工されて形成された切削加工体と、外周コート層と、を備えるものである。
【００８６】
１  第二のハニカム構造体の構成成分
１．１  切削加工体
切削加工体は、セル構造体１３の外周部が切削加工されたものである。切削加工による外周部の形状は特に限定されるものではなく、第二のハニカム構造体の形状に合わせて任意の形状にすることができる。なお、切削加工する外周部は、最外周セルから２セル分以上であることが好ましく、２〜４セル分であることが更に好ましい。このようにセル構造体１３を切削加工することで、外周部に存在する変形したセルを除くことができる。
【００８７】
（セル構造体）
セル構造体１３は、多孔質の隔壁１５によって区画形成された複数のセル１４を有し、セル１４が一方の端面６と他方の端面７で相補的な市松模様を呈するように目封止されているものである。
【００８８】
セル構造体１３のセル密度は５０〜４００ｃｐｓｉ（７．７〜６２．０ｃｅｌｌｓ／ｃｍ２）であることが好ましく、７０〜３７０ｃｐｓｉ（１０．８〜５７．３ｃｅｌｌｓ／ｃｍ２）であることが更に好ましく、８０〜３２０ｃｐｓｉ（１２．４〜４９．６ｃｅｌｌｓ／ｃｍ２）であることが特に好ましい。セル密度が５０ｃｐｓｉ（７．７ｃｅｌｌｓ／ｃｍ２）未満であると、強度が低い場合がある。一方、４００ｃｐｓｉ（６２．０ｃｅｌｌｓ／ｃｍ２）超であると、圧力損失が高すぎてエンジン出力が低下する場合がある。
【００８９】
（１）  多孔質の隔壁
セル構造体１３の多孔質の隔壁１５については、前記「多孔質の隔壁」にて記載した内容と同様のことがいえる。
【００９０】
（２）  セル
セル構造体１３のセル１４については、前記「セル」にて記載した内容と同様のことがいえる。
【００９１】
１．２  外周コート層
外周コート層９は、切削加工体の外周面上に配設される層であり、ハニカム製造用スラリーを使用して形成される。このため、外周コート層９のクラックの発生を抑制することができる。なお、ハニカム製造用スラリーは従来公知の外周コート材スラリーを含んでも良い。
【００９２】
ハニカム製造用スラリーは、前記「ハニカム製造用スラリー」にて記載した内容と同様のことがいえる。
【００９３】
２  第二のハニカム構造体の製造方法
本発明の第二のハニカム構造体は、多孔質の隔壁によって区画形成された複数のセルを有し、セルが一方の端面と他方の端面で相補的な市松模様を呈するように目封止されたセル構造体を得、セル構造体の外周部を切削加工して切削加工体を形成し、切削加工体の外周面上に外周コート層を配設することで製造することができる。
【００９４】
２．１  セル構造体の作製方法
セル構造体を作製する方法は特に限定されるものではなく、従来公知の方法に従って作製することができる。より具体的には、多孔質の隔壁を構成する材質に、メチルセルロース、ヒドロキシプロポキシルセルロース、ヒドロキシエチルセルロース、カルボキシメチルセルロース、ポリビニルアルコール等のバインダー、造孔材、界面活性剤、溶媒としての水等を添加して、混練することで可塑性の坏土を調製し、調製した坏土を柱状体に成形し、乾燥する。その後、セルに目封止を形成し、焼成する方法で作製することができる。
【００９５】
混練方法、調製した坏土を柱状体に成形する方法、及び乾燥方法は特に制限はされるものではなく、前記「第一のハニカム構造体の製造方法」にて記載した方法を用いることができる。
【００９６】
２．２  切削加工体の作製方法
切削加工体は、作製したセル構造体の外周部を切削加工することで作製することができる。切削加工する方法は、特に限定されるものではなく、前記「第一のハニカム構造体の製造方法」にて記載した方法を用いることができる。
【００９７】
２．３  第二のハニカム構造体の製造方法
切削加工体の外周面上に、外周コート層を配設することで第二のハニカム構造体を製造することができる。外周コート層を配設する方法は特に限定されるものではなく、前記「第一のハニカム構造体の製造方法」にて記載した方法を用いることができる。
【実施例】
【００９８】
以下、本発明を実施例に基づいて具体的に説明するが、本発明はこれらの実施例に限定されるものではない。なお、実施例、比較例中の「部」及び「％」は、特に断らない限り質量基準である。また、各種物性値の測定方法、及び諸特性の評価方法を以下に示す。
【００９９】
［ｐＨの値］：２５℃、スラリー中にて測定した。
【０１００】
［スラリーの流動性］：流動性がでるまで混練したスラリーをφ５０ｍｍ、高さ１００ｍｍの円筒形の容器に底から５０ｍｍの高さまで入れ２４時間静置させた後、容器を１３５°傾け１０秒後の様子を目視にて評価した。以下、その評価方法を記載する。
◎：容器口から流れ落ちる。
○：容器底から９０ｍｍ以上のところまで流れる。
△：容器底から９０ｍｍ未満〜６５ｍｍ以上のところまで流れる。
×：容器底から６５ｍｍ未満のところまでしか流れない。
【０１０１】
［外周コート層のクラックの発生］：マイクロスコープにて観察し、クラックが発生していたものを「有り」と評価し、クラックが発生していないものを「無し」と評価した。
【０１０２】
［接合強度（ＭＰａ）］：サンプルとして、ハニカム構造体の接合層を１０個用意し、ＪＩＳ  Ｒ  １６０１に準拠して３点曲げ接合強度の測定を行い、その平均値として算出した。
【０１０３】
（実施例１）
無機粒子成分として炭化珪素粉末４０％、生体溶解性ファイバーとしてマグネシウムシリケートファイバー２８．５％、無機バインダーとしてシリカ固形分４０％のコロイド状酸化物の水溶液３０％、有機バインダーとしてカルボキシメチルセルロース０．５％、及び粘土１％を加えて混合物を得た。得られた混合物に対し、キレート化合物としてニトリロ三酢酸０．４％を加えてハニカム製造用材料（１）を得た。ハニカム製造用材料（１）をミキサーで３０分間混練して、ペースト状のハニカム製造用スラリー（１）（以下、「スラリー（１）」という）を調製した。調製したスラリー（１）の調製直後のｐＨの値は６．０であり、調製２４時間後のｐＨの値は６．７であり、流動性の評価は「○」であった。
【０１０４】
（実施例２〜６）
キレート化合物として表１に記載の化合物を用いたこと、及び添加量を表１に記載した量としたこと以外は実施例１と同様にして各ハニカム製造用材料を得、得られた各ハニカム製造用材料から各ハニカム製造用スラリーを調製した。調製した各ハニカム製造用スラリーの評価結果を表１に記載する。
【０１０５】
（比較例１〜４）
キレート化合物の代わりに表１に記載の化合物を用いたこと、及び添加量を表１に記載した量としたこと以外は実施例１と同様にして各ハニカム製造用材料を得、得られた各ハニカム製造用材料から各スラリーを調製した。調製した各スラリーの評価結果を表１に記載する。
【０１０６】
（比較例５）
キレート化合物を添加しなかったこと以外は実施例１と同様にしてハニカム製造用材料（１１）を得、得られたハニカム製造用材料（１１）からスラリー（１１）を調製した。調製したスラリー（１１）の評価結果を表１に記載する。
【０１０７】
【表１】
2010012416.tif 000003
【０１０８】
スラリー（１）〜（３）は、調製２４時間後でも流動性が良好であった。緩衝作用を更に有するキレート化合物を加えて調製したスラリー（４）〜（６）は、調製２４時間後の流動性が特に良好であった。一方、界面活性剤や無添加のスラリー（７）〜（１１）に関しては、２４時間後には流動性が経時変化した。
【０１０９】
（実施例７）
無機粒子成分として炭化珪素粉末４０％、生体溶解性ファイバーとしてマグネシウムシリケートファイバー２８．５％、無機バインダーとしてシリカ固形分（商品名「ファインカタロイドＣ−１２７」、触媒化成工業社製）２０％のコロイド状酸化物の水溶液３０％、有機バインダーとしてカルボキシメチルセルロース０．５％、粘土１％を加えて混合物を得た。得られた混合物に対し、添加材としてアミノ酢酸と塩酸からなる第一の緩衝液を１０％加えてハニカム製造用材料（１２）を得た。ハニカム製造用材料（１２）をミキサーで３０分間混練して、ペースト状のハニカム製造用スラリー（１２）（以下、「スラリー（１２）」という）を調製した。調製したスラリー（１２）の調製直後のｐＨの値は３．６であり、調製２４時間後のｐＨの値は３．７であり、流動性の評価は「◎」であった。
【０１１０】
（実施例８〜９）
添加材として、表２に記載した第一の緩衝液を、表２に記載の量加えたこと以外は実施例７と同様にして各ハニカム製造用材料を得、得られた各ハニカム製造用材料から各ハニカム製造用スラリーを調製した。調製した各ハニカム製造用スラリーの評価結果を表２に記載する。
【０１１１】
（実施例１０〜１１、比較例６〜７）
添加材として、表２に記載した酸を、表２に記載の量加えたこと以外は実施例７と同様にして各ハニカム製造用材料を得、得られた各ハニカム製造用材料から各スラリーを調製した。調製した各スラリーの評価結果を表２に記載する。
【０１１２】
（比較例８〜９）
添加材として、表２に記載したアルカリを、表２に記載の量加えたこと以外は実施例７と同様にして各ハニカム製造用材料を得、得られた各ハニカム製造用材料から各スラリーを調製した。調製した各スラリーの評価結果を表２に記載する。
【０１１３】
（比較例１０）
添加剤を加えなかったこと以外は実施例７と同様にしてハニカム製造用材料（２１）を得、スラリー（２１）を調製した。調製したスラリー（２１）の評価結果を表２に記載する。
【０１１４】
【表２】
2010012416.tif 000004
【０１１５】
第一の緩衝液を添加して調製したスラリー（１２）〜（１４）は、ｐＨの変動が少なく２４時間後の流動性も良好である。酸を添加して調製したスラリー（１５）〜（１８）に関しては、添加量により違いがある。過剰に酸を添加して調製したスラリー（１５）及び（１６）は流動性が良好であった。一方、酸を少量添加して調製したスラリー（１７）及び（１８）は、流動性が経時変化した。アルカリを添加して調製したスラリー（１９）及び（２０）や無添加のスラリー（２１）は、流動性が経時変化した。
【０１１６】
（実施例１２）
実施例１で調製したペースト状のスラリー（１）を用いて接合層及び外周コート層を形成しハニカム構造体を製造した。製造したハニカム構造体の外周コート層のクラックの発生の有無は「無し」であり、調製直後のスラリー（１）を接合材に用いて製造したハニカム構造体の接合層の接合強度は３．４ＭＰａであり、調製２４時間後のスラリー（１）を接合材に用いて製造したハニカム構造体の接合層の接合強度は３．０ＭＰａであった。
【０１１７】
（実施例１３〜２２、比較例１１〜２０）
表３に記載のペースト状のスラリーを用いたこと以外は実施例１２と同様にして各ハニカム構造体を製造した。製造した各ハニカム構造体の評価結果を表３に記載する。
【０１１８】
【表３】
2010012416.tif 000005
【０１１９】
ペースト状のハニカム製造用スラリーを用いて製造したハニカム構造体は、外周コート層にクラックが発生し難いものであり、また、接合層の接合強度にも経時変化の大きな影響が無いものであった。
【産業上の利用可能性】
【０１２０】
本発明のハニカム構造体は、排気ガス用のフィルタとして利用可能である。例えば、ディーゼルエンジン等からの排気ガスに含まれている粒子状物質（ＰＭ）を捕捉して除去するためのディーゼルパティキュレートフィルタ（ＤＰＦ）として好適に利用することができる。
【図面の簡単な説明】
【０１２１】
【図１】本発明の第一のハニカム構造体の一実施形態を示す斜視図である。
【図２】本発明の第一のハニカム構造体を構成するハニカムセグメントの一例を模式的に示す斜視図である。
【図３】本発明の第二のハニカム構造体の一実施形態を示す斜視図である。
【図４】設置基準治具を用いたハニカムセグメントの設置方法を示す斜視図である。
【符号の説明】
【０１２２】
１：第一のハニカム構造体、２：第二のハニカム構造体、３，１３：セル構造体、４，１４：セル、５，１５：隔壁、６：一方の端面、７：他方の端面、８，１８：外周面、９：外周コート層、１０：外壁、１１：ハニカムセグメント、１２：接合層、２０：設置基準治具、２１：第一平面、２２：第二平面、２３：パッド。
【図１】
2010012416.tif 000006
【図２】
2010012416.tif 000007
【図３】
2010012416.tif 000008
【図４】
2010012416.tif 000009